(57)【要約】【課題】フィルタの物理モデル化した温度特性と、フィルタ入口温度及びフィルタ出口温度とをうまく組み合わせて図４の太実線で示した特性の温度の推定を可能にし、これにより開発時間を短縮する。【解決手段】排気中のパティキュレートを捕集して堆積させるフィルタ（４）を備え、フィルタ（４）の上流または下流の一方の温度を第一温度として検出する手段（１６）と、フィルタ（４）の他方の温度を第二温度として検出する手段（１７）と、第一温度または第二温度の少なくともいずれかの温度からフィルタ（４）の推定ベッド温度を算出する手段（１１）と、この推定ベッド温度に基づいて排気温度を昇温させてフィルタ（４）の再生処理を行う手段（１１）とを有するディーゼルエンジンの排気後処理装置において、一方の第一温度に基づいて他方の第二温度の推定温度を算出する手段（１１）を備え、前記推定ベッド温度は前記検出される第二温度と前記第二温度の推定温度とに基づいて求められる。【選択図】        図１
2005180322.tif 000002
【特許請求の範囲】
【請求項１】
排気中のパティキュレートを捕集して堆積させるフィルタを備え、
フィルタの上流または下流の一方の温度を第一温度として検出する第一温度検出手段と、
フィルタの他方の温度を第二温度として検出する第二温度検出手段と、
前記第一温度または第二温度の少なくともいずれかの温度から、フィルタの推定ベッド温度を算出する推定ベッド温度算出手段と、
前記推定ベッド温度に基づいて、排気温度を昇温させてフィルタの再生処理を行う再生処理実行手段と
を有するディーゼルエンジンの排気後処理装置において、
前記一方の第一温度に基づいて他方の第二温度の推定温度を算出する推定温度算出手段を備え、
前記推定ベッド温度は前記検出される第二温度と前記第二温度の推定温度とに基づいて求められることを特徴とするディーゼルエンジンの排気後処理装置。
【請求項２】
前記第一温度はフィルタ入口温度であり、前記第二温度はフィルタ出口温度であり、前記推定温度算出手段はフィルタ入口温度に時間的な遅れを持たせて算出することを特徴とする請求項１に記載のディーゼルエンジンの排気後処理装置。
【請求項３】
推定ベッド温度算出手段は、前記フィルタ入口温度に時間的な遅れを持たせ、
前記推定温度算出手段は、前記推定ベッド温度に時間的な遅れを持たせ、
これら算出手段による算出を一定周期ごとに繰り返す繰り返し実行手段と
を備えることを特徴とする請求項２に記載のディーゼルエンジンの排気後処理装置。
【請求項４】
前記推定温度算出手段は、前記第一温度の一次遅れ処理値を用いて求めることを特徴とする請求項１または２に記載のディーゼルエンジンの排気後処理装置。
【請求項５】
前記推定温度算出手段は、前記推定ベッド温度の一次遅れ処理値を用いて求めることを特徴とする請求項３に記載のディーゼルエンジンの排気後処理装置。
【請求項６】
前記推定温度算出手段は、さらに前記フィルタから外気への放熱に応じて補正することを特徴とする請求項１から５までのいずれか一つに記載のディーゼルエンジンの排気後処理装置。
【請求項７】
再生処理実行手段は、前記推定ベッド温度がフィルタ限界温度を越えないように再生処理を行うことを特徴とする請求項１から６までのいずれか一つに記載のディーゼルエンジンの排気後処理装置。
【請求項８】
フィルタの担体に排気中のＨＣ、ＣＯを浄化する酸化触媒を有することを特徴とする請求項１から７までのいずれか一つに記載のディーゼルエンジンの排気後処理装置。
【請求項９】
前記第一温度はフィルタ出口温度であり、前記第二温度はフィルタ入口温度であり、前記推定温度算出手段はフィルタ入口温度に時間進みを持たせることを特徴とする請求項１に記載のディーゼルエンジンの排気後処理装置。
【請求項１０】
前記第一温度検出手段または第二温度検出手段はフィルタ出口温度として再生処理中のフィルタ出口温度の最高温度を検出することを特徴とする請求項２または９に記載のディーゼルエンジンの排気後処理装置。
【請求項１１】
前記推定ベッド温度は前記検出される第二温度と前記第二温度の推定温度との差温に基づいて求められることを特徴とする請求項１から１０までのいずれか一つに記載のディーゼルエンジンの排気後処理装置。
【発明の詳細な説明】
【技術分野】
【０００１】
本発明はディーゼルエンジンの排気パティキュレートを処理する排気後処理装置、特に排気通路にエンジンから排出されるパティキュレートを捕集するフィルタを配置し、フィルタに所定量のパティキュレートが堆積したとき、フィルタ温度を昇温させてフィルタに堆積しているパティキュレートを燃焼処理する、いわゆるフィルタの再生処理を行うものに関する。
【背景技術】
【０００２】
排気通路にＮＯｘ還元触媒を設け、この触媒を高いＮＯｘ浄化率が得られる所定の温度範囲に保つため、触媒の温度を推定しこの推定触媒温度に基づいて触媒を流れる排気流量を制御するものが提案されている（特許文献１参照）。
【特許文献１】特開平１０−６８３１５号公報
【発明の開示】
【発明が解決しようとする課題】
【０００３】
上記の特許文献１の技術では、触媒入口の排気温度Ｔｇ１と触媒出口の排気温度Ｔｇ２から次式により推定触媒温度Ｔｃを算出している。
【０００４】
Ｔｃ＝ｐ×Ｔｇ１＋ｑ×Ｔｇ２（ｐ、ｑは実験から求めた係数）
しかしながら、上記の算出方法だと、触媒の温度推定をｐとｑの２つの係数で、図４に示すように、触媒担体の熱容量による入口温度上昇に対する出口温度上昇の時間的な応答遅れと、フィルタの再生による温度上昇や酸化触媒を担持したフィルタであれば触媒の反応による温度上昇分との２つの要素を様々な運転条件で適合しなければならず、実験適合に膨大な時間がかかり、また適合した結果も膨大なマップデータとなり触媒温度推定制御のためのデータ容量を大きくとらなければならない。かといって触媒温度推定制御のデータ容量を小さくすべく固定の定数にすると触媒温度推定の精度が落ちて、フィルタの再生処理時に異常な高温状態になり、触媒の熱劣化やフィルタの溶損の恐れがある。
【課題を解決するための手段】
【０００５】
本発明は、フィルタの上流または下流の一方の温度を第一温度として、またフィルタの他方の温度を第二温度としてそれぞれ検出し、これら第一温度または第二温度の少なくともいずれかの温度からフィルタの推定ベッド温度を算出し、この推定ベッド温度に基づいて、排気温度を昇温させてフィルタの再生処理を行うディーゼルエンジンの排気後処理装置において、前記一方の第一温度に基づいて他方の第二温度の推定温度を算出し、前記推定ベッド温度を前記検出される第二温度と前記第二温度の推定温度とに基づいて求めるように構成する。
【発明の効果】
【０００６】
本発明によれば、フィルタの入口温度（第一温度）と出口温度（第二温度）を検出し、これらフィルタの入口または出口いずれかの温度に基づいてベッド温度を推定し、フィルタの出口温度を検出した第二温度と、フィルタの入口温度に時間遅れを持たせた第二温度の推定温度との差温をとり、その差温を推定したベッド温度にフィードバックすることで、ベッド温度推定制御に多大なデータ容量をとることなくベッド温度を精度よく推定することが可能になり、フィルタ再生処理時の異常な高温による触媒の劣化やフィルタの溶損を回避することが可能になる。
【発明を実施するための最良の形態】
【０００７】
以下、本発明の実施形態を添付図面に基づいて説明する。
【０００８】
図１は本発明の一実施形態を示す概略構成図である。図１において、１はディーゼルエンジンで、２は吸気通路、３は排気通路を示している。
【０００９】
燃料噴射装置は、サプライポンプ６、コモンレール７、インジェクタ８からなるコモンレール式噴射装置で、主にマイクロプロセッサで構成されるエンジンコントローラ１１により燃料噴射制御が行われる。すなわち、全負荷付近で多く発生するスモークを防止するため、エアフローメータ１５の出力から算出されるシリンダ吸入空気量Ｑａｃと、エンジン回転速度センサ１３からのエンジン回転速度Ｎｅとに応じて最大噴射量Ｑｆｍａｘを定めており、アクセルセンサ１４からのアクセル開度に応じた基本燃料噴射量をこの最大噴射量Ｑｆｍａｘで制限し、この制限後の燃料噴射量Ｑｆを最適な時期に燃料噴射装置を用いて噴射する。
【００１０】
排気通路３には排気中のパティキュレートを捕集するフィルタ４を備える。フィルタ４のパティキュレートの捕集量（堆積量）が所定値に達すると、排気温度を上昇させてパティキュレートを燃焼除去する。また、フィルタ４の担体（セラミックあるいは金属等）には排気中のＨＣ及びＣＯを浄化する酸化触媒が担持されている。
【００１１】
フィルタ４の圧力損失（フィルタ４の上流と下流の圧力差）を検出するためにフィルタ４をバイパスする差圧検出通路に差圧センサ１２が設けられる。
【００１２】
この差圧センサ１２により検出されるフィルタ４の圧力損失は、エンジンコントローラ１１に送られ、エンジンコントローラ１１では、これに基づいてフィルタ４の再生処理を行う。すなわち、再生処理前には差圧センサ１２により検出した圧力損失ΔＰと再生開始判定値とを比較して再生開始時期になったかどうかを判定し、再生開始時期になったとき排気温度を上昇させてのフィルタ４の再生処理を開始する一方で、再生処理中に差圧センサ１２により検出した圧力損失ΔＰと再生終了判定値とを比較して再生終了時期になったかどうかを判定し、再生終了時期になったとき再生処理を終了する。
【００１３】
フィルタ４の再生処理は、燃料噴射装置から噴射される燃料の噴射時期を通常よりも遅らせたり、あるいは通常の噴射後にさらに１回噴射（ポスト噴射）することなどにより、排気温度を上昇させることで実行する。
【００１４】
フィルタ４１の再生処理を行うこうしたエンジンを前提として、本発明ではフィルタ４の再生処理中にフィルタ４の物理モデル化した温度特性と、フィルタ入口温度Ｔｉｎ（第一温度）及びフィルタ出口温度Ｔｏｕｔ（第二温度）とに基づいてフィルタ４のベッド温度を推定し、この推定ベッド温度がフィルタ限界温度を超えることがないようにフィルタ４の再生処理を行う。
【００１５】
図２はエンジンコントローラ１１により実行される推定ベッド温度Ｔｂｅｄ２の算出に関わる機能をブロックで構成したもので、推定ベッド温度算出手段は、加重平均部３１及び３２と、乗算部３３と、減算部３４と、加算部３５と、図示しないが３１〜３５の各処理を一定周期（例えば２０μｓ程度）毎に繰り返し実行させる手段とからなっている。
【００１６】
まず加重平均部３１では、温度センサ１６により検出されるフィルタ入口温度Ｔｉｎから次式によりフィルタ４の仮ベッド温度Ｔｂｅｄ１を算出する。
【００１７】
Ｔｂｅｄ１＝Ｔｉｎ×Ｋ１＋Ｔｂｅｄ１（前回値）×（１−Ｋ１）…（１）
ただし、Ｋ１                ；加重平均係数、
Ｔｂｅｄ１（前回値）；１演算周期前のＴｂｅｄ１、
（１）式はフィルタ入口温度Ｔｉｎに対して一次遅れで変化する温度をフィルタ４の仮ベッド温度として算出する式である。
【００１８】
ここで、フィルタ４は円柱状であり、この円柱状のフィルタ４において排気はフィルタ前面４ａより軸方向（図１では右方向）に流入しフィルタ後面４ｂより流出する構成であるので、単に「ベッド温度」といってもフィルタ前面４ａに近い部位の温度（フィルタ入口温度Ｔｉｎに近い）からフィルタ後面４ｂに近い部位の温度（フィルタ出口温度Ｔｏｕｔに近い）まで所定の幅を有している。ここではフィルタ前面４ａからフィルタ後面４ｂまでのうち温度が最も高くなる部位（軸方向中央よりは下流側の位置）の温度を「ベッド温度」という。
【００１９】
上記（１）式はフィルタ前面４から温度Ｔｉｎの排気が導入されたとき、フィルタ４のベッド温度がこれに応じてステップ的にＴｉｎへと上昇するのではなく、Ｔｉｎに対してフィルタ前面４ｂから最高温度になる部位（以下「最高温度部位」という）までの熱容量に応じた分だけベッド温度の上昇が遅れるので、この遅れを一次遅れで近似したもの、つまり最高温度部位の温度特性を物理モデルで表したものである。従って、（１）式において適合する値は加重平均係数Ｋ１で、このＫ１はフィルタ前面４ａから最高温度部位までの熱容量に依存して定まる。
【００２０】
次に、加重平均部３２では仮ベッド温度Ｔｂｅｄ１から次式によりフィルタ４の推定出口温度Ｔｂｅｄｅ１を算出する。
【００２１】
Ｔｂｅｄｅ１＝Ｔｂｅｄ１×Ｋ２＋Ｔｂｅｄｅ１（前回値）×（１−Ｋ２）…（２）
ただし、Ｋ２                  ；加重平均係数、
Ｔｂｅｄｅ１（前回値）；１演算周期前のＴｂｅｄｅ１、
（２）式は仮ベッド温度Ｔｂｅｄ１に対して一次遅れで変化する温度をフィルタ４の推定出口温度Ｔｂｅｄｅ１として算出する式である。これは、仮ベッド温度Ｔｂｅｄ１に対して最高温度部位からフィルタ後面４ｂまでの熱容量に応じた分だけフィルタ４の出口温度の上昇がさらに遅れるので、この遅れを一次遅れで近似したもの、フィルタ後面４ｂの温度特性を物理モデルで表したものである。従って、（２）式においても適合する値は加重平均係数Ｋ２で、このＫ２は最高温度部位からフィルタ後面４ｂまでの熱容量に依存して定まる。
【００２２】
乗算部３３では、次式によりフィルタ４の推定出口温度Ｔｂｅｄｅ２を算出する。
【００２３】
Ｔｂｅｄｅ２＝Ｔｂｅｄｅ１×Ｋ３…（３）
ただし、Ｋ３；フィルタの放熱係数、
フィルタ４の雰囲気温度は大気（外気）であるため、フィルタ４の高温の担体より外気へと放熱が行われるので、（３）式はこのフィルタ４の担体から外気へと奪われる熱の分だけベッド温度が低下するのを反映させるようにしたものである。すなわち、（３）式の放熱係数Ｋ３は１．０より小さい正の値であり、図３のように外気温をパラメータとする可変値である。外気温が低いほどフィルタ４のベッドより奪われる熱も大きくなるので、放熱係数Ｋ３は外気温が低いほど小さくしている。外気温度は温度センサ１８により検出すればよい。
【００２４】
減算部３４では、温度センサ１７により検出されるフィルタ４の出口温度Ｔｏｕｔ（検出される第二温度）からフィルタ４の推定出口温度Ｔｂｅｄｅ２（第二温度の推定温度）を差し引いて温度差ΔＴ（＝Ｔｏｕｔ−Ｔｂｅｄｅ２）を算出する。つまり、次式により温度差ΔＴを求める。
【００２５】
ΔＴ＝Ｔｏｕｔ−Ｔｂｅｄｅ２…（４）
ここで、フィルタ４にパティキュレートが全く堆積しておらず、かつフィルタ４の担体に酸化触媒を全く担持していなければ、フィルタ４内でパティキュレートが燃焼することもなく、かつ酸化触媒により排気中のＨＣ、ＣＯが酸化（つまり燃焼）することもないので、このときにはフィルタ４の推定出口温度Ｔｂｅｄｅ２は、温度センサ１７により検出される実際のフィルタ出口温度Ｔｏｕｔに一致し、従って上記（４）式の温度差ΔＴはほぼゼロとなるはずである。
【００２６】
実際には再生処理時にフィルタ４のベッドに堆積しているパティキュレートが燃焼するほか、担体に担持している酸化触媒の触媒反応により排気中のＨＣ、ＣＯが燃焼するので、フィルタ４のベッドにおけるパティキュレートの燃焼に伴う第１の温度上昇分ΔＴ１と、排気中のＨＣ、ＣＯの酸化触媒反応（燃焼）に伴う第２の温度上昇分ΔＴ２とを合計した値ΔＴ（＝ΔＴ１＋ΔＴ２）を上記の仮ベッド温度Ｔｂｅｄ１に加算した値を推定ベッド温度であるとして再構成する必要がある。
【００２７】
そこで、加算部３５では推定ベッド温度としての仮ベッド温度Ｔｂｅｄ１に上記（４）式の温度差ΔＴを加えた値を推定ベッド温度Ｔｂｅｄ２として、つまり次式により推定ベッド温度Ｔｂｅｄ２を算出する。
【００２８】
Ｔｂｅｄ２＝Ｔｂｅｄ１＋ΔＴ…（５）
これに伴い上記（２）式右辺のＴｂｅｄ１をＴｂｅｄ２へと置き換えてやる必要があり、このとき上記（２）式は次のようになる。
【００２９】
Ｔｂｅｄｅ１＝Ｔｂｅｄ２×Ｋ２＋Ｔｂｅｄｅ１（前回値）×（１−Ｋ２）
…（２Ａ）
ただし、Ｋ２                  ；加重平均係数、
Ｔｂｅｄｅ１（前回値）；１演算周期前のＴｂｅｄｅ１、
このように、フィルタ４の出口温度Ｔｏｕｔとフィルタ４の推定出口温度Ｔｂｅｄｅ２との差温ΔＴをとり、その差温ΔＴを推定ベッド温度にフィードバックすることで、推定ベッド温度の算出に多大なデータ容量をとることなく推定ベッド温度を精度よく算出することが可能になり、フィルタ再生処理時の異常な高温による触媒の劣化やフィルタ４の溶損を回避することが可能になる。
【００３０】
そして、上記の加重平均部３１及び３２、乗算部３３、減算部３４、加算部３５での各処理は一定周期（例えば２０μｓ程度）毎に繰り返し実行させる。
【００３１】
このようにして推定ベッド温度算出手段を構成したときに、定常状態において再生処理の開始より上記の仮ベッド温度Ｔｂｅｄ１、推定出口温度Ｔｂｅｄｅ２、推定ベッド温度Ｔｂｅｄ２の各温度がどのように変化するのかを実験してみたところ、図４に示す結果が得られた。
【００３２】
ここで、定常状態や準定常状態において演算値（仮ベッド温度Ｔｂｅｄ１、推定出口温度Ｔｂｅｄｅ２、推定ベッド温度Ｔｂｅｄ２の各温度）は実際値とよく一致することを確認している。ただし、図４はわかりやすいようにモデルで示している。
【００３３】
図４を解説すると、推定ベッド温度Ｔｂｅｄ２は再生処理の開始より所定の時間が経過した時刻ｔ１においてピークを採り、その後は低下して、仮ベッド温度Ｔｂｅｄ１に一致している。つまり、推定ベッド温度Ｔｂｅｄ２と仮ベッド温度Ｔｂｅｄ１の差がパティキュレートの燃焼に伴う第１の温度上昇分ΔＴ１に相当する。パティキュレートの燃焼に伴う温度上昇分ΔＴ１はフィルタ処理開始後にパティキュレートが活発に燃焼する時期にピークをとりその後は徐々に低下して全てのパティキュレートが燃焼した後にはゼロとなるはずであるので、推定ベッド温度Ｔｂｅｄ２と仮ベッド温度Ｔｂｅｄ１の差はこうした現象をよく表していることになる。
【００３４】
一方、仮ベッド温度Ｔｂｅｄ１と推定出口温度Ｔｂｅｄｅ２の差は排気中のＨＣ、ＣＯの酸化触媒反応（燃焼）に伴う第２の温度上昇分ΔＴ２に相当することもわかる。これは定常状態では排気中のＨＣ、ＣＯの量は一定であり、これに応じて仮ベッド温度Ｔｂｅｄ１が推定出口温度Ｔｂｅｄｅ２より一定値だけ高い温度になっていると思われるからである。言い換えると仮ベッド温度Ｔｂｅｄ１はフィルタ４の担体に担持した酸化触媒が反応する状態でのベッド温度を表し、パティキュレートの燃焼、非燃焼の影響を受けないのである。
【００３５】
このようにして、推定ベッド温度Ｔｂｅｄ２が得られると、この温度Ｔｂｅｄ２はベッド最高温度を表すので、再生処理に際して、推定ベッド温度Ｔｂｅｄ２とフィルタ限界温度を比較し、推定ベッド温度Ｔｂｅｄ２がフィルタ限界温度を超えるときには排気中の酸素濃度を低下させる制御を行わせる。例えば、ベッドでの燃焼温度は排気中の酸素濃度に依存し、パティキュレート堆積量が同じであれば酸素濃度が低いときより酸素濃度が高いときのほうが燃焼温度が上昇するので、推定ベッド温度Ｔｂｅｄ２がフィルタ限界温度を超えるときには排気中の酸素濃度を低下させる制御を行う。排気中の酸素濃度を低下させるには吸入空気量を減らすか燃料噴射量を増やしてやればよい。吸入空気量を減らすには可変容量ターボ過給機２１を備えているときには可変ノズル２２の開度を大きくしてやればよいし、ＥＧＲ弁２３（ＥＧＲ装置）を備えているときにはＥＧＲ率やＥＧＲ量を増加させればよい。
【００３６】
ここで本実施形態の作用を図４を参照しながら説明する。
【００３７】
本実施形態によれば、フィルタ４の物理モデル化した温度特性と、フィルタ入口温度Ｔｉｎ（第一温度）及びフィルタ出口温度Ｔｏｕｔ（第二温度）とに基づいてフィルタ４の再生処理中の最高温度部位（フィルタ前面４ａとフィルタ後面４ｂの間の途中部位）の温度を推定ベッド温度Ｔｂｅｄ２として算出するようにしたので、その算出した推定ベッド温度Ｔｂｅｄ２により、フィルタ４のパティキュレート堆積量の如何に拘わらず、堆積したパティキュレートの燃焼による温度上昇分ΔＴ１を含めた最高温度部位の温度を簡潔かつ正確に把握できることになった。
【００３８】
また、フィルタ４の温度特性つまり仮ベッド温度Ｔｂｅｄ１、推定出口温度Ｔｂｅｄｅ１（第二温度の推定温度）を一次遅れ処理（物理モデル）で求めるだけなので（請求項２に記載の発明）、一次遅れ処理に用いる加重平均係数Ｋ１、Ｋ２のみが適合値となり、このＫ１、Ｋ２の値はそれぞれフィルタ前面４ａから最高温度部位までのフィルタ４の熱容量のみに、最高温度部位からフィルタ後面４ｂまでのフィルタ４の熱容量にのみ依存して定まる。すなわち、適合値であるＫ１、Ｋ２は運転条件やフィルタ４のパティキュレート堆積量に依存することなく定まるので、テーブルやマップの適合に要する多大の工数を省略でき、かつフィルタ４の仕様の変更に対しても変更後のフィルタ４の熱容量に対応させればよいだけなので容易に対応できる。
【００３９】
外気温が低い場合にはフィルタ４の担体から外気への放熱量が大きくなり、その分の誤差が推定ベッド温度Ｔｂｅｄ２に生じるのであるが、本実施形態（請求項６に記載の発明）によれば、推定出口温度Ｔｂｅｄｅ１をフィルタ４から外気への放熱に応じて補正するので、外気温が低い場合においても推定ベッド温度Ｔｂｅｄ２を精度よく求めることができる。
【００４０】
本実施形態（請求項８に記載の発明）によれば、フィルタ４の担体に排気中のＨＣ、ＣＯを浄化する酸化触媒を有するからといって、推定ベッド温度算出手段の構成を変える必要がないばかりか、フィルタ４の担体に排気中のＨＣ、ＣＯを浄化する酸化触媒を有する場合においても、推定ベッド温度Ｔｂｅｄ２により、パティキュレート堆積量や負荷、回転速度で定まる運転条件の相違に拘わらず、堆積したパティキュレートの燃焼による温度上昇分ΔＴ１と、ＨＣ及びＣＯの触媒反応による温度上昇分ΔＴ２とを含めた最高温度部位の温度を簡潔かつ正確に把握できる。かつ、触媒が劣化したときにはその劣化状態での温度上昇分を簡潔かつ正確に把握できる。
【００４１】
実施形態ではフィルタ４の担体に酸化触媒を担持している場合で説明したが（請求項８に記載の発明）、フィルタ４の担体に酸化触媒を担持していない場合にも本発明の適用がある（請求項１に記載の発明）。
【００４２】
実施形態ではフィルタ前面４ａとフィルタ後面の４ｂ間の途中部位が、最高温度部位である場合で説明したが、これに限られるものでない。
【００４３】
実施形態ではフィルタ口温度を温度センサ１６により検出する場合で説明したが、運転条件により公知の手法を用いてフィルタ入口温度を推定するようにしてもかまわない。
【００４４】
本実施例はフィルタの入口温度に時間遅れを持たせて得た出口温度の推定温度と、検出した出口温度との差温を推定ベッド温度にフィードバック補正する場合で説明したが、本発明はこれに限らず、フィルタの出口温度に時間進みを持たせて得た入口温度の推定温度と、検出した入口温度との差温を推定ベッド温度にフィードバック補正してもよい（請求項９に記載の発明）。
【００４５】
請求項１に記載の発明の推定ベッド温度算出手段の機能は図２のブロックにより、推定温度算出手段の機能は図２の加重平均部３１、３２及び減算部３４により、再生処理実行手段の機能はエンジンコントローラ１１により果たされている。
【図面の簡単な説明】
【００４６】
【図１】本発明の一実施形態を示す概略構成図。
【図２】推定ベッド温度算出手段のブロック図。
【図３】放熱係数の特性図。
【図４】再生処理時の温度変化図。
【符号の説明】
【００４７】
１  エンジン
３  排気通路
４  フィルタ
１１  エンジンコントローラ
１２  差圧センサ
１６  温度センサ（第一温度または第二温度の検出手段）
１７  温度センサ（第一温度または第二温度の検出手段）
【図１】
2005180322.tif 000003
【図２】
2005180322.tif 000004
【図３】
2005180322.tif 000005
【図４】
2005180322.tif 000006